(57)【特許請求の範囲】
【請求項１】
フラットパネルディスプレイおよびこれを支持するフレームを有する表示ユニットを遊技機用筐体の前面パネルに設けられた表示窓に取り付けるための表示ユニットの取付構造において、
前記表示ユニットを前記前面パネルに仮止めする仮止め手段と、
前記仮止め手段により前記表示ユニットを前記前面パネルに仮止めした状態で前記表示ユニットを前記前面パネルに固定する固定手段と
を備え、
前記仮止め手段は、
前記フレームの上部に設けられた係合手段と、
前記表示窓の上方であって前記前面パネルの背面に設けられた被係合手段と
を含み、
前記フレームは、
前記フラットパネルディスプレイの外周を覆う外周部と、前記フラットパネルディスプレイの表示面の周縁を覆う前端部とを有し、前記外周部と前記前端部とにより断面がほぼＬ字状に形成された前枠体と、
前記係合手段が一体的に形成され、前記フラットパネルディスプレイの背面を覆うように前記前枠体に後側から取り付けられる後枠体と
を有し、
前記前枠体の前記前端部は、
防塵部材を貼り付けるために全周にわたり形成された溝と、
該溝に対応する背面側を後方に突出させた突出部と
を備え、
前記係合手段と前記被係合手段とが互いに係合することで前記表示ユニットを前記前面パネルに仮止めする
ことを特徴とする表示ユニットの取付構造。
【請求項２】
前記後枠体の前記係合手段の近傍に一体的に形成されて前記フレームに設けられた取手を備えることを特徴とする請求項１に記載の表示ユニットの取付構造。
【請求項３】
前記突出部の幅方向の寸法は、前記溝の幅方向の寸法より長いことを特徴とする請求項１または２に記載の表示ユニットの取付構造。
【発明の詳細な説明】
【技術分野】
【０００１】
本発明は、スロットマシンなどの遊技機に適用され、液晶ディスプレイなどのフラットパネルディスプレイおよびこれを支持するフレームを有する表示ユニットを遊技機用筐体の前面パネルに設けられた表示窓に取り付けるための表示ユニットの取付構造に関するものである。
【背景技術】
【０００２】
一般的なスロットマシンなどの遊技機は、外周面に複数の図柄が描かれた３個のリールを一斉に回転開始するためのスタートスイッチ、各リールに対応する３個のストップスイッチなどを備え、１〜３枚のメダルを投入した後にスタートスイッチの操作で３つのリールが回転を開始するとともに、入賞態様を決定するための抽選が行われる。そして、遊技者が各リールに対応するストップスイッチを順次操作することで対応するリールの回転が停止するが、上記抽選により所定の入賞態様に当選した場合には、その入賞態様に対応する図柄の組合せが揃いやすくなるようにリールの停止制御が行われ、その図柄の組合せがメダル投入枚数に応じて有効化された１又は複数の入賞ライン上に停止すると、その入賞態様に応じて予め設定された枚数のメダルが受け皿に払い出される（例えば特許文献１参照）。この特許文献１に記載の遊技機では、動画などを表示して演出を行うための液晶ディスプレイを備えている。一方、従来、持ち運びのための取手を備えた表示装置が知られている（例えば特許文献２参照）。この特許文献２に記載の表示装置では、上面のほぼ中央に取手を設けて持ち運びを容易に行えるようにしている。
【０００３】
【特許文献１】特開２００５−３４２３６２号公報（図１）
【特許文献２】特開２００４−２７９９８４号公報（図１）
【発明の開示】
【発明が解決しようとする課題】
【０００４】
上記特許文献１に記載の遊技機では、通常、液晶ディスプレイと、これを支持するフレームとで表示ユニットが構成されており、この表示ユニットを遊技機用筐体の前面パネルに設けられた表示窓に取り付けることとなる。そこで、表示ユニットの上面に上記特許文献２に記載の取手を形成することが考えられる。これによって、遊技機の組立時や修理のための交換時において、表示ユニットの持ち運びが容易になる。しかしながら、上記特許文献２に記載のように、単に取手を表示ユニットの上面に設けるだけでは、持ち運びが容易になるに過ぎない。すなわち、表示ユニットを遊技機用筐体の前面パネルに設けられた表示窓に取り付ける際の作業性が考慮されたものではない。そこで、遊技機用筐体の前面パネルに容易に取り付けて固定できるようにすることが求められる。
【０００５】
本発明は、上記課題に鑑みてなされたもので、液晶ディスプレイなどのフラットパネルディスプレイおよびこれを支持するフレームを有する表示ユニットを遊技機用筐体の前面パネルに設けられた表示窓に容易に取り付けることができる表示ユニットの取付構造を提供することを目的とする。
【課題を解決するための手段】
【０００６】
上記目的を達成するために、本発明にかかる表示ユニットの取付構造は、フラットパネルディスプレイおよびこれを支持するフレームを有する表示ユニットを遊技機用筐体の前面パネルに設けられた表示窓に取り付けるための表示ユニットの取付構造において、前記表示ユニットを前記前面パネルに仮止めする仮止め手段と、前記仮止め手段により前記表示ユニットを前記前面パネルに仮止めした状態で前記表示ユニットを前記前面パネルに固定する固定手段とを備え、前記仮止め手段は、前記フレームの上部に設けられた係合手段と、前記表示窓の上方であって前記前面パネルの背面に設けられた被係合手段とを含み、前記フレームは、前記フラットパネルディスプレイの外周を覆う外周部と、前記フラットパネルディスプレイの表示面の周縁を覆う前端部とを有し、前記外周部と前記前端部とにより断面がほぼＬ字状に形成された前枠体と、前記係合手段が一体的に形成され、前記フラットパネルディスプレイの背面を覆うように前記前枠体に後側から取り付けられる後枠体とを有し、前記前枠体の前記前端部は、防塵部材を貼り付けるために全周にわたり形成された溝と、該溝に対応する背面側を後方に突出させた突出部とを備え、前記係合手段と前記被係合手段とが互いに係合することで前記表示ユニットを前記前面パネルに仮止めすることを特徴としている（請求項１）。
【０００７】
また、前記後枠体の前記係合手段の近傍に一体的に形成されて前記フレームに設けられた取手を備えるとしてもよい（請求項２）。
【００１１】
また、前記突出部の幅方向の寸法は、前記溝の幅方向の寸法より長いとしてもよい（請求項３）。
【発明の効果】
【００１２】
請求項１の発明によれば、フレームの上部に係合手段が設けられているため、係合手段と被係合手段とを容易に係合させることができ、表示ユニットの前面パネルへの仮止めの作業性を向上することができる。また、フレームの前枠体は、フラットパネルディスプレイの外周を覆う外周部とフラットパネルディスプレイの表示面の周縁を覆う前端部とにより断面がほぼＬ字状に形成されているため、そのままでは前枠体のねじれや撓みを防止することが困難であるが、前枠体の前端部は、防塵部材を貼り付けるために全周にわたり形成された溝と、該溝に対応する背面側を後方に突出させた突出部とを備えていることから、前端部が平板状の場合に比べて、ねじれや撓みに対する強度を向上することができる。
【００１３】
また、請求項２の発明によれば、フレームを構成する後枠体の係合手段の近傍に一体的に取手が形成されているため、取手により持ち運びが容易なのはもちろんのこと、さらに係合手段と被係合手段とを容易に係合させることができ、表示ユニットの前面パネルへの仮止めの作業性を向上することができる。また、取手と係合手段とがフレームの上部に設けられているので、仮止め作業時の作業者の視線を仮止め部に集中させることができ、安全かつ容易に作業を行うことができる。
【００１７】
また、請求項３の発明によれば、突出部の幅方向の寸法は、溝の幅方向の寸法より長いため、前端部が平板状の場合に比べて、前枠体の剛性を向上することができる。
【発明を実施するための最良の形態】
【００１８】
図１は本発明にかかる表示ユニットの取付構造の一実施形態を備えたスロットマシンの外観を示す斜視図である。このスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１９】
そして、正面板９には横長矩形のリール表示窓１１が設けられている。また、リール表示窓１１の内側には、それぞれ周面に複数の図柄が表示された左・中・右リール（図示省略）が配置され、リール表示窓１１からは、左・中・右リールの図柄が上段・中段・下段の各々３個ずつ覗くように設定されている。更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各リールの回転を開始させるためのレバー状のスタートスイッチ１９、左・中・右リールの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００２０】
また、正面板９の上方のほぼ中央には、演出用動画などを表示する表示ユニット５１（図２）の表示画面を表示するための液晶表示窓２７が設けられ、液晶表示窓２７のすぐ上方には、各種の入賞図柄が表示された説明パネル２９が設けられ、これら液晶表示窓２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２１】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、筐体３の内部の左・中・右リールの下方には、メダルを払出口３９に排出するためのホッパーユニット（図示省略）が配設されている。このように、この実施形態では、筐体３が本発明の「遊技機用筐体」に相当し、液晶表示窓２７が本発明の「表示窓」に相当する。
【００２２】
図２〜図６はそれぞれ表示ユニットを示す図で、図２は正面図、図３は背面図、図４は正面側から見た斜視図、図５は背面側から見た斜視図、図６は図２のＡ−Ａ線断面斜視図である。また、図７〜図１０はそれぞれ前枠体を示す図で、図７は正面図、図８は斜視図、図９は図７のＢ−Ｂ線断面図、図１０は図６の部分拡大図である。また、図１１は表示ユニットと前面パネルとの分解斜視図である。また、図１２は表示ユニットが取り付けられた前面パネルを示す斜視図である。
【００２３】
表示ユニット５１は、液晶パネル、バックライト、駆動回路などがパッケージに収められた矩形で薄板状のＬＣＤモジュール５３と、これを収容して支持するフレーム５５とから構成されている。また、フレーム５５は、前枠体５７と後枠体５９とから構成されている。
【００２４】
前枠体５７は、ＬＣＤモジュール５３の外周を覆う外周部５７１と、ＬＣＤモジュール５３の表示面５３ａの周縁を覆う前端部５７２とを有し、外周部５７１と前端部５７２とにより断面がほぼＬ字状に形成されている。この前端部５７２の前面側には、全周にわたり防塵部材を貼り付けるための溝５７３が形成されている。また、前端部５７２の背面側には、溝５７３に対応する部分を後方に突出させた突出部５７４が形成されている。
【００２５】
また、後枠体５９は、ＬＣＤモジュール５３の背面を覆うように前枠体５７に後側から取り付けられるもので、その上面５９Ｕに取手６１および左右の係合部６３Ｌ，６３Ｒが一体的に形成されている。取手６１は、後枠体５９の上面５９Ｕのほぼ中央に形成されている。また、左係合部６３Ｌは、背面側から見て取手６１の左側に形成され、右係合部６３Ｒは、背面側から見て取手６１の右側に形成されている。
【００２６】
左係合部６３Ｌは、後枠体５９の上面５９Ｕに左右に並んで立設された一対の立設部６５Ｌ，６５Ｒと、この一対の立設部６５Ｌ，６５Ｒの各上端を互いに接続する接続部６７とを有して枠状に形成されている。また、右係合部６３Ｒも同様に、後枠体５９の上面５９Ｕに左右に並んで立設された一対の立設部６９Ｌ，６９Ｒと、この一対の立設部６９Ｌ，６９Ｒの各上端を互いに接続する接続部７１とを有して枠状に形成されている。また、取手６１は、左係合部６３Ｌの右側の立設部６５Ｒの上端と右係合部６３Ｒの左側の立設部６９Ｌの上端とを接続する把持部７３を有している。接続部６７の上面、把持部７３の上面および接続部７１の上面は連続する同一面を形成している。
【００２７】
また、後枠体５９の左側面５９Ｌの上部および下部には、それぞれ固定用枠部７３Ｕ，７３Ｄが突設されており、この固定用枠部７３Ｕ，７３Ｄには、それぞれ透孔７５Ｕ，７５Ｄが透設されている。また、後枠体５９の右側面５９Ｒの上部および下部にも同様に、それぞれ固定用枠部７７Ｕ，７７Ｄが突設されており、この固定用枠部７７Ｕ，７７Ｄにも、それぞれ透孔７９Ｕ，７９Ｄが透設されている。
【００２８】
一方、前面パネル５の背面側には、液晶表示窓２７の上方であって左右の係合部６３Ｌ，６３Ｒに対応する位置に、それぞれ舌状の突設片８１Ｌ，８１Ｒが突設されている。この突設片８１Ｌ，８１Ｒは、先端が多少上方に折り曲げられた折曲部８２Ｌ，８２Ｒを備え、側面視ほぼＬ字状に形成されている。また、液晶表示窓２７を背面側から見て左方であって上下の固定用枠部７３Ｕ，７３Ｄに対応する位置に、それぞれねじ孔８３Ｕ，８３Ｄが螺刻されている。また、液晶表示窓２７を背面側から見て右方であって上下の固定用枠部７７Ｕ，７７Ｄに対応する位置に、ねじ孔８５Ｕ，８５Ｄが螺刻されている。そして、後枠体５９の透孔７５Ｕ，７５Ｄ，７９Ｕ，７９Ｄは、突設片８１Ｌ，８１Ｒがそれぞれ左右の係合部６３Ｌ，６３Ｒに入り込んでフレーム５５が突設片８１Ｌ，８１Ｒにより垂下された状態で、ねじ孔８３Ｕ，８３Ｄ，８５Ｕ、８５Ｄにそれぞれ対応するような位置に透設されている。このように、この実施形態では、ＬＣＤモジュール５３が本発明の「フラットパネルディスプレイ」に相当し、突設片８１Ｌが本発明の「左被係合部」に相当し、突設片８１Ｒが本発明の「右被係合部」に相当し、左係合部６３Ｌ、右係合部６３Ｒがそれぞれ本発明の「係合手段」を構成し、突設片８１Ｌ、突設片８１Ｒがそれぞれ本発明の「被係合手段」を構成する。
【００２９】
上記のように構成された表示ユニット５１の前面パネル５への取付作業について説明する。図１３は前面パネル５の突設片８１Ｒにおける部分断面図、図１４は表示ユニット５１の右係合部６３Ｒにおける断面図、図１５は表示ユニット５１が前面パネル５に仮止めされた状態を示す部分断面図である。まず、作業者は、取手６１の把持部７３を把持した状態で表示ユニット５１を前面パネル５の背面に近接させ、突設片８１Ｌ，８１Ｒを左右の係合部６３Ｌ，６３Ｒの枠内に入り込ませる。そして、表示ユニット５１の右係合部６３Ｒは、接続部７１の内面側に、前方側が下方に折り曲げられた側面視ほぼＬ字状の先端部７１Ｒを備えており、この先端部７１Ｒと突設片８１Ｒの折曲部８２Ｒとが互いに係合する。また、左係合部６３Ｌも同様に構成されており、左係合部６３Ｌと突設片８１Ｌの折曲部８２Ｌとが互いに係合する。これによって、表示ユニット５１が前面パネル５に仮止めされる。次いで、ねじ９１Ｕ，９１Ｄをそれぞれ透孔７５Ｕ，７５Ｄを通してねじ孔８３Ｕ，８３Ｄに螺合するとともに、ねじ９３Ｕ，９３Ｄをそれぞれ透孔７９Ｕ，７９Ｄを通してねじ孔８５Ｕ，８５Ｄに螺合して、表示ユニット５１を前面パネル５に固定する。このように、この実施形態では、左係合部６３Ｌおよび右係合部６３Ｒと突設片８１Ｌ，８１Ｒとが本発明の「仮止め手段」を構成し、ねじ孔８３Ｕ，８３Ｄ，８５Ｕ、８５Ｄと透孔７５Ｕ，７５Ｄ，７９Ｕ，７９Ｄとねじ９１Ｕ，９１Ｄ，９３Ｕ，９３Ｄとが本発明の「固定手段」を構成する。
【００３０】
以上説明したように、この実施形態によれば、前面パネル５の背面に突設された舌状の突設片８１Ｌ，８１Ｒが、それぞれ左右の係合部６３Ｌ，６３Ｒの枠内に入り込んで係合し、突設片８１Ｌ，８１Ｒが接続部６７，７１を介してフレーム５５を支持することによって、表示ユニット５１を前面パネル５に仮止めするようにしているため、仮止めのための構成を簡素にすることができる。
【００３１】
また、この実施形態によれば、左係合部６３Ｌと突設片８１Ｌとを互いに係合させるとともに、右係合部６３Ｒと突設片８１Ｒとを互いに係合させる仮止め作業を、左右の係合部６３Ｌ，６３Ｒの間に設けられた取手６１の把持部７３を把持した状態で行うため、作業者が把持した位置の直ぐ左右に係合位置が位置することから、仮止め作業を極めて容易に行うことができる。
【００３２】
また、この実施形態によれば、後枠体５９の透孔７５Ｕ，７５Ｄ，７９Ｕ，７９Ｄは、突設片８１Ｌ，８１Ｒがそれぞれ左右の係合部６３Ｌ，６３Ｒに入り込んでフレーム５５が突設片８１Ｌ，８１Ｒにより垂下された状態で、ねじ孔８３Ｕ，８３Ｄ，８５Ｕ、８５Ｄにそれぞれ対応するような位置に透設されているため、透孔７５Ｕ，７５Ｄ，７９Ｕ，７９Ｄを通してねじ孔８３Ｕ，８３Ｄ，８５Ｕ、８５Ｄにねじ９１Ｕ，９１Ｄ，９３Ｕ，９３Ｄを螺合させることにより、表示ユニット５１を前面パネル５に容易かつ確実に固定することができる。
【００３３】
また、フレーム５５の前枠体５７は、外周部５７１と前端部５７２とにより断面がほぼＬ字状に形成された額縁形状であるため、そのままでは前枠体５７のねじれや撓みを防止することが困難になっている。そこで、この実施形態では、前枠体５７の前端部５７２の前面側には、防塵部材を貼り付けるための溝５７３を全周にわたり形成するとともに、前端部５７２の背面側には、溝５７３に対応する部分を後方に突出させた突出部５７４を形成している。ここで、溝５７３の幅方向の寸法Ｌ１より、突出部５７４の幅方向の寸法Ｌ２を長くしている。これによって、前端部５７２が平板状の場合に比べて、前枠体５７の剛性を向上してねじれや撓みを防止することができる。また、溝５７３に沿って防塵部材を貼り付けることができるため、防塵部材貼付の作業性を向上することができる。
【００３４】
なお、本発明は上記実施形態に限定されるものではなく、その趣旨を逸脱しない限りにおいて上述したもの以外に種々の変更を行うことが可能である。例えば、上記実施形態では、液晶パネルを供えたＬＣＤモジュール５３を用いているが、本発明のフラットパネルディスプレイはこれに限られず、プラズマディスプレイやＥＬディスプレイなどを用いてもよい。
【００３５】
また、上記実施形態では、前面パネル５の背面側にねじ孔８３Ｕ，８３Ｄ，８５Ｕ，８５Ｄを設けているが、図１６に示すように、ねじ孔８３Ｕ，８５Ｕに相当する位置に、ねじ孔に代えて固定ピン８７Ｕを設け、ねじによる固定は、ねじ孔８３Ｄ，８５Ｄに対してのみとしてもよい。このように構成することにより、ねじ止め箇所が減少するので、より素早く表示ユニット５１を組み付けることが可能となる。
【図面の簡単な説明】
【００３６】
【図１】本発明にかかる表示ユニットの取付構造の一実施形態を備えたスロットマシンの外観を示す斜視図である。
【図２】表示ユニットの正面図である。
【図３】表示ユニットの背面図である。
【図４】表示ユニットを正面側から見た斜視図である。
【図５】表示ユニットを背面側から見た斜視図である。
【図６】図２のＡ−Ａ線断面斜視図である。
【図７】前枠体の正面図である。
【図８】前枠体の斜視図である。
【図９】図７のＢ−Ｂ線断面図である。
【図１０】図６の部分拡大図である。
【図１１】表示ユニットと前面パネルとの分解斜視図である。
【図１２】表示ユニットが取り付けられた前面パネルを示す斜視図である。
【図１３】前面パネルの突設片における部分断面図である。
【図１４】表示ユニットの右係合部における断面図である。
【図１５】表示ユニットが前面パネルに仮止めされた状態を示す部分断面図である。
【図１６】前面パネルの変形形態を示す部分斜視図である。
【符号の説明】
【００３７】
１…スロットマシン、３…筐体（遊技機用筐体）、２７…液晶表示窓（表示窓）、５１…表示ユニット、５３…ＬＣＤモジュール（フラットパネルディスプレイ）、５５…フレーム、５７…前枠体、５７１…外周部、５７２…前端部、５７３…溝、５７４…突出部、５９…後枠体、６１…取手、６３Ｌ…左係合部（係合手段、仮止め手段）、６３Ｒ…右係合部（係合手段、仮止め手段）、８１Ｌ…突設片（左被係合部、被係合手段、仮止め手段）、８１Ｒ…突設片（右被係合部、被係合手段、仮止め手段）、７５Ｕ，７５Ｄ，７９Ｕ，７９Ｄ…透孔（固定手段）、８３Ｕ，８３Ｄ，８５Ｕ、８５Ｄ…ねじ孔（固定手段）、９１Ｕ，９１Ｄ，９３Ｕ，９３Ｄ…ねじ（固定手段）
【図１】
0004713404.tif 000002
【図２】
0004713404.tif 000003
【図３】
0004713404.tif 000004
【図４】
0004713404.tif 000005
【図５】
0004713404.tif 000006
【図６】
0004713404.tif 000007
【図７】
0004713404.tif 000008
【図８】
0004713404.tif 000009
【図９】
0004713404.tif 000010
【図１０】
0004713404.tif 000011
【図１１】
0004713404.tif 000012
【図１２】
0004713404.tif 000013
【図１３】
0004713404.tif 000014
【図１４】
0004713404.tif 000015
【図１５】
0004713404.tif 000016
【図１６】
0004713404.tif 000017